(57)【要約】【課題】フード本体を上下に薄くすることを課題とする。【解決手段】左右の側面部２０，２０の間に設けられたガイド部３０に、フード本体１０の空間ＳＰ１に流入した上昇流Ｓ１が前後に分かれる中間案内部３３ａと、中間案内部３３ａの前側で前方に向かって下側に湾曲した第一の案内面３１ａと、中間案内部３３ａの後側で後方に向かって下側に湾曲した第二の案内面３２ａとを設ける。側面部２０には、案内面３１ａ，３２ａに案内された流れを排気手段５０に吸引させるための開口部２１，２２を設ける。そして、中間案内部３３ａで前側となった流れＳ２を第一の案内面３１ａで旋回流Ｓ３として第一の開口部２１から排気手段５０により排出し、中間案内部３３ａで後側となった流れＳ４を第二の案内面３２ａで旋回流Ｓ５として第二の開口部２２から排気手段５０により排出するようにレンジフード１を構成する。【選択図】図６
2010127549.tif 000002
【特許請求の範囲】
【請求項１】
調理器具の上方に設けるためのレンジフードであって、
左右の側面部と、該左右の側面部の間に設けられたガイド部と、で下方が開口した空間を形成したフード本体と、
排気手段とを備え、
前記ガイド部は、前記空間に流入した上昇流が前後に分かれる中間案内部と、該中間案内部の前側で前方に向かって下側に湾曲した第一の案内面と、前記中間案内部の後側で後方に向かって下側に湾曲した第二の案内面とを有し、
前記側面部には、前記第一の案内面に案内された流れを前記排気手段に吸引させるための第一の開口部と、前記第二の案内面に案内された流れを前記排気手段に吸引させるための第二の開口部とが設けられ、
前記中間案内部で前側となった流れを前記第一の案内面で旋回流として前記第一の開口部から前記排気手段により排出し、前記中間案内部で後側となった流れを前記第二の案内面で旋回流として前記第二の開口部から前記排気手段により排出するように構成したことを特徴とするレンジフード。
【発明の詳細な説明】
【技術分野】
【０００１】
本発明は、調理器具の上方に設けるためのレンジフードに関する。
【背景技術】
【０００２】
加熱調理により発生する煙等を排出するレンジフードとして、図９に示すレンジフード９００が知られている（特許文献１参照）。このレンジフード９００は、左右両側面部９１０及びガイド部９２０を有するフード本体と、煙や熱気等Ｓを排気する排気手段とを備え、加熱調理器具９９０の上方に設けられる。各側面部９１０には、排気口９１１が形成されている。この排気口９１１には、排気中の塵芥等を捕捉するためのフィルタ９１２が取外し可能に装着されている。ガイド部９２０は、後側の案内面９２１及び前側の案内面９２２を有し、左右両側面部の間に形成されている。後側の案内面９２１は、レンジフードの奥行方向Ｙの後方下部から前方に向け傾斜して立ち上がっている。前側の案内面９２２は、後側の案内面９２１から連続して前方に向け縦断面略円弧状に湾曲形成されて先端縁が下向きに形成されている。排気手段は、吸引ファン９３１を有し、左右のフィルタ９１２を通して煙や熱気等Ｓを屋外へ排出する。
加熱調理器具９９０を用いた加熱調理により発生する煙や熱気等Ｓは、上昇流となってフード本体の空間に流入し、後側の案内面９２１に沿って前側の案内面９２２へ案内され、この案内面９２２で旋回流とされて、フィルタ９１２を通過する。
【０００３】
また、特許文献２に記載のレンジフードは、ガイド部が前方案内板と後方案内板とに分割され、これら前方案内板と後方案内板とが着脱可能に係合している。
【特許文献１】特許第３３８８１６６号公報
【特許文献２】特許第３３８８１６７号公報
【発明の開示】
【発明が解決しようとする課題】
【０００４】
上述したレンジフードのフード本体は、後側の案内面がレンジフードの奥行方向の後方下部から前方に向け傾斜して立ち上がっているので、上下に厚く、重厚感がある。一方、フード本体を上下に薄くすることによりレンジフードの意匠を向上させたいという希望もある。
【０００５】
本発明は、上記課題に鑑みてなされたもので、フード本体を上下に薄くすることが可能なレンジフードの提供を目的とする。
【課題を解決するための手段】
【０００６】
上記目的を達成するため、本発明は、調理器具の上方に設けるためのレンジフードであって、左右の側面部と、該左右の側面部の間に設けられたガイド部と、で下方が開口した空間を形成したフード本体と、排気手段とを備え、前記ガイド部は、前記空間に流入した上昇流が前後に分かれる中間案内部と、該中間案内部の前側で前方に向かって下側に湾曲した第一の案内面と、前記中間案内部の後側で後方に向かって下側に湾曲した第二の案内面とを有し、前記側面部には、前記第一の案内面に案内された流れを前記排気手段に吸引させるための第一の開口部と、前記第二の案内面に案内された流れを前記排気手段に吸引させるための第二の開口部とが設けられ、前記中間案内部で前側となった流れを前記第一の案内面で旋回流として前記第一の開口部から前記排気手段により排出し、前記中間案内部で後側となった流れを前記第二の案内面で旋回流として前記第二の開口部から前記排気手段により排出するように構成したことを特徴とする。
【０００７】
すなわち、フード本体の空間に流入した上昇流は、中間案内部で前後に分かれる。この中間案内部で前側となった流れは、第一の案内面で旋回流となり、第一の開口部から排気手段により排出される。また、中間案内部で後側となった流れは、第二の案内面で旋回流となり、第二の開口部から排気手段により排出される。このように、フード本体の空間に流入した煙等が前後でそれぞれ旋回流となって側面部の開口部から排気手段により排出されるので、後方下部から前方に向け傾斜して立ち上がった案内面が不要となり、フード本体を上下に薄くすることができる。
【０００８】
なお、特許請求の範囲に記載した前後左右は、レンジフードを構成する各部の相対的な位置関係を示すための便宜上の記載である。
上記フード本体が形成する空間は、一つでもよいし、二以上でもよい。
上記フード本体には、油受け部等の部位が設けられてもよい。
上記第一の開口部は、左右の側面部の両方に設けられてもよいし、左右の側面部の一方にのみ設けられてもよい。上記第二の開口部も、左右の側面部の両方に設けられてもよいし、左右の側面部の一方にのみ設けられてもよい。
上記第一の開口部と上記第二の開口部とは、分離されていてもよいし、繋がっていてもよい。
上記第一の開口部と上記第二の開口部の少なくとも一方にフィルタが設けられてもよい。
上記中間案内部と上記第一の案内面と上記第二の案内面は、別々の部品で構成されてもよいし、一体化された部品で構成されてもよい。
上記中間案内部の形状には、平坦な形状、波形といった曲面形状、等が含まれる。
前方に向かって下側に湾曲した第一の案内面の形状には、前縁が後向きとなるまで湾曲した形状が含まれる。後方に向かって下側に湾曲した第二の案内面の形状には、後縁が前向きとなるまで湾曲した形状が含まれる。
【発明の効果】
【０００９】
以上説明したように、本発明によれば、フード本体を上下に薄くすることが可能なレンジフードを提供することができる。
【発明を実施するための最良の形態】
【００１０】
（１）レンジフードの構成の説明：
図１は、本発明の一実施形態に係るレンジフード１を採用したシステムキッチンの要部を示す斜視図である。図２は、図１のＡ１−Ａ１の位置でレンジフード１を断面視して示す垂直断面図である。図３は、図２のＡ２−Ａ２の位置でレンジフード１を断面視して示す垂直断面図である。図４は、図３のＡ３−Ａ３の位置でレンジフード１を断面視して示す水平断面図である。図５は、開口部２１からフィルタ４１を外した状態で図２の断面図の要部を拡大して示す垂直断面図であり、特に第一の案内面３１ａ及びその周辺を示す図である。図６は、レンジフード１に流入した空気の流れを説明するための簡略化した図であり、フィルタ４１，４２の模様等を省略している。
【００１１】
図１に示すシステムキッチンは、ダイニングキッチンをキッチン側とダイニング側とに分けるように壁Ｗ１から半島状に延びたキッチンカウンタ９０が設置されている。このキッチンカウンタ９０には、加熱調理器具９１やシンク９２等が組み込まれている。本実施形態のレンジフード１は、壁Ｗ１に取り付けられ、調理器具９１の上方に設けられている。
ここで、便宜上、図１に示す前後左右を用いてレンジフード１を構成する各部の相対的な位置関係を説明する。本レンジフード１は、キッチン側を前側として左側が壁Ｗ１となる左壁取付タイプとされている。
【００１２】
調理器具９１を用いた加熱調理により発生する煙や熱気等は、図３等に示す上昇流Ｓ１となる。レンジフード１は、フード本体１０の空間ＳＰ１に流入する上昇流を吸引し、屋外へ排出する。
【００１３】
レンジフード１は、下方が開口した空間ＳＰ１を有するフード本体１０、該フード本体１０の側面部２０，２０から空気を吸引し排気するための排気手段５０、を備えている。ここで、排気手段５０に吸引される空気には、煙、熱気、等が含まれる。
フード本体１０は、図２〜４に示すように、左右の側面部２０，２０と、側面部２０，２０の間に設けられたガイド部３０とを備えている。これら側面部２０，２０及びガイド部３０は、下部が開口した本体カバー１２の内側に組み付けられ、下方が開口した空間ＳＰ１を形成している。本実施形態の側面部２０，２０及びガイド部３０は、左右に略対称とされているとともに、前後にも略対称とされている。
【００１４】
各側面部２０には、ガイド部３０の前側の案内面（第一の案内面）３１ａに案内された空気の流れを排気手段５０に吸引させるための第一の開口部２１と、ガイド部３０の後側の案内面（第二の案内面）３２ａに案内された空気の流れを排気手段５０に吸引させるための第二の開口部２２とが設けられている。第一の開口部２１には前側フィルタ４１が着脱可能に取り付けられ、第二の開口部２２には後側フィルタ４２が着脱可能に取り付けられている。開口部２１，２２及びフィルタ４１，４２は、ほぼ同じ高さに設けられている。フィルタ４１，４２は、それぞれ、案内面３１ａ，３２ａに案内された空気の流れを通過させる。フィルタには通過する空気中の油が付着するので、フィルタの表面を親水性とすると、清掃時及び洗浄時にフィルタから油を除去し易くすることができる。
また、図２に示すように、各側面部２０の下部は、中央部に向かって緩やかに下る傾斜を有している。これらの中央部において、図３に示すように、油を受けるためのオイルトレイ２３，２３が側面部２０の下部に対して着脱可能に設けられている。
【００１５】
ガイド部３０は、フード本体の空間ＳＰ１に流入した上昇流Ｓ１が前後に分かれる中間案内部３３ａと、中間案内部３３ａの前側で前方に向かって下側に湾曲した第一の案内面３１ａと、中間案内部３３ａの後側で後方に向かって下側に湾曲した第二の案内面３２ａとを有している。本実施形態のガイド部３０は、中間案内部３３ａを下面に有する中間案内板３３と、第一の案内面３１ａを内側面に有する前側案内板３１と、第二の案内面３２ａを内側面に有する後側案内板３２とから構成されている。
中間案内板３３は、前後を向いた垂直断面においてごく僅かに下方へ膨出した形状とされている。これにより、左右方向に煙等を通過させる煙道５１が本体カバー１２の下側であって中間案内板３３の上側に形成される。中間案内板３３の中央部分の開口部には、後述する光源ユニット６４からの光を下方へ透過させるレンズ３４が固定されている。中間案内板３３は、前後の縁部がそれぞれ案内板３１，３２を介して本体カバー１２の固定部位１３，１３に取り付けられる。
【００１６】
前側案内板３１は、中間案内板３３の前側で前方に向かって下側へ縦断面略円弧状に湾曲している。前側案内板３１の後縁部は、前方に向かってやや立ち上がる状態から下側へ湾曲している。前側案内板３１の前縁部は、下向きの範囲内で後向きとなるまで湾曲した後に縦断面略Ｖ字状の溝３１ｂとなる形状とされている。一方、後側案内板３２は、中間案内板３３の後側で後方に向かって下側へ縦断面略円弧状に湾曲している。後側案内板３２の前縁部は、後方に向かってやや立ち上がる状態から下側へ湾曲している。後側案内板３２の後縁部は、下向きの範囲内で前向きとなるまで湾曲した後に縦断面略Ｖ字状の溝３２ｂとなる形状とされている。両案内板３１，３２の溝３１ｂ，３１ｂは、案内面３１ａ，３２ａを流れ落ちる油を受ける機能を有する。
【００１７】
図５に示すように、前側案内板３１の案内面３１ａの縦断面は、円Ｃ１のほぼ円周上に存在する。この円Ｃ１内に第一の開口部２１の一部が入っており、さらに、円Ｃ１の中心Ｃ１ａが第一の開口部２１の中に存在している。これにより、第一の案内面３１ａで旋回流Ｓ３が発生し易く、煙や熱気等が効率よく開口部２１から吸引される。また、図示を省略しているが、後側案内板３２の案内面３２ａの縦断面は、第一の案内面３１ａの縦断面と略線対称となっている。すなわち、第二の案内面３２ａの縦断面も円のほぼ円周上に存在し、この円内に第二の開口部２２の一部が入っており、さらに、円の中心Ｃ１ａが第二の開口部２２の中に存在している。これにより、第二の案内面３２ａで旋回流Ｓ５が発生し易く、煙や熱気等が効率よく開口部２２から吸引される。
【００１８】
さらに、中間案内部３３ａの前後方向の長さは、第一の案内面３１ａ側の円Ｃ１と第二の案内面３２ａ側の円とが接しない長さ、すなわち、各円の半径の和よりも大きい長さとされている。
【００１９】
排気手段５０は、フード本体１０に形成される煙道５１、レンジフードファン５２、ファンカバー５３、排気筒５４、から構成され、フィルタ４１，４２を通してフード本体の空間ＳＰ１から空気を排出する。
煙道５１は、図３に示すように、左側の側面部２０と本体カバー１２の左側面部１２ａとの間から中間案内板３３の上側を経てファンカバー５３内へ至る経路と、右側の側面部２０と本体カバー右側面部１２ｂとの間から中間案内板３３と本体カバー上面部１２ｃとの間を経てファンカバー５３内へ至る経路とから構成されている。
【００２０】
ファン５２は、回転する羽根車の回転軸方向へ空気を吸い込んで該羽根車の径方向外側へ送り出す多翼の遠心ファン等を用いることができる。本実施形態のファン５２は、前面に空気吸引口を有し上部に空気排出口を有するファンケース５２ａ内に収容されている。このファンケース５２ａは、ファンカバー５３内の背面部に取り付けられている。従って、ファン５２は、ファンカバー５３内の空気を左方向へ吸引して上方へ排出することとなる。
ファンカバー５３は、上部に開口部を有するとともに下方が開口した空間を有する略箱形に形成されている。ファンカバー５３は、壁Ｗ１に固定されるとともに、フード本体１０と互いに固定される。
排気筒５４は、ファンケース５２ａの空気排出口から屋外へ至る空気経路とされている。
【００２１】
以上の他、レンジフード１は、上部カバー６１、電装ボックス６２、操作パネル６３、光源ユニット６４、を備える。
上部カバー６１は、図３に示すように、ファンカバー５３と排気筒５４と電装ボックス６２を覆う部材とされている。
電装ボックス６２は、ファンカバー５３の右側面、すなわち、ファンカバー５３の外側面に取り付けられる。従って、電装ボックス６２は、油煙経路外に配置されている。電装ボックス６２は、ファン５２と操作パネル６３と光源ユニット６４への電気配線が接続され、操作パネル６３への操作に応じてファン５２及び光源ユニット６４の動作を制御する。
【００２２】
操作パネル６３は、複数のスイッチを有し、ファン５２の送風量の切り替え、光源ユニット６４の点灯と消灯の切り替え、等の操作入力を利用者から受け付ける。操作パネル６３は、図２に示すように、本体カバー１２の前面部に設けられている。前側案内板３１の前側は油煙経路外とされているので、操作パネル６３は油煙経路外に配置されている。
なお、操作パネル６３を本体カバー１２の後面部にも設けることで、キッチン側、ダイニング側の両側からレンジフード１の操作が可能になり利便性が向上する。さらに、左側の壁にでも、右側の壁にでも同じレンジフードを取付け可能になる。
光源ユニット６４は、円筒状のケース内に光源が収容され、電装ボックス６２から光源に通電されると該光源が点灯し、レンズ３４を介して下方を照射する。光源に白色の発光ダイオードを用いると、光源の交換頻度を少なくさせることができる。むろん、ハロゲンランプ等を光源に用いることもできるし、光源の色を白色以外とすることもできる。
【００２３】
なお、フード本体１０の主要部やカバー５３，６１等、レンジフード１の主要部は、金属板で形成することができる。
【００２４】
上述した各部を有するレンジフード１は、図６に示すように、中間案内部３３ａで前側となった流れＳ２を第一の案内面３１ａで旋回流Ｓ３として第一の開口部２１から排気手段５０により排出するように構成されている。また、本レンジフード１は、中間案内部３３ａで後側となった流れＳ４を第二の案内面３２ａで旋回流Ｓ５として第二の開口部２２から排気手段５０により排出するように構成されている。これにより、第一の案内面３１ａの後側を後方下部から前方に向け傾斜して立ち上がった案内面とする必要が無くなる。
【００２５】
以上の構成を有するレンジフード１は、例えば、以下のようにして形成される。
まず、ファン５２及び電装ボックス６２をファンカバー５３に組み付け、このファンカバー５３を壁Ｗ１に取り付ける。また、光源ユニット６４及び側面部２０，２０を本体カバー１２に組み付けてフード本体１０を形成し、ファンカバー５３とフード本体１０とを互いに固定し、このフード本体１０を壁Ｗ１に固定する。電装ボックス６２から操作パネル６３及び光源ユニット６４へ配線を接続し、本体カバーの固定部位１３に前後の案内板３１，３２及び中間案内板３３を組み付ける。さらに、排気筒５４をファンケース５２ａに接続し、本体カバー１２の上面に上部カバー６１を取り付ける。
むろん、各部の組み立て順序は、変更可能である。
【００２６】
（２）レンジフードの作用、効果の説明：
次に、本レンジフード１の作用、効果を説明する。
図６に示すように、フード本体１０の空間ＳＰ１に流入した上昇流Ｓ１は、中間案内部３３ａに行く手を阻まれ、該中間案内部３３ａで前後に分かれる。ここで、中間案内部３３ａが前後を向いた垂直断面においてごく僅かに下方へ膨出しているので、上昇流Ｓ１が前後へ分かれ易くなっている。
【００２７】
中間案内部３３ａで前側となった流れＳ２は、第一の案内面３１ａで図６の左回り方向の旋回流Ｓ３となる。この旋回流Ｓ３の回転軸は、左右を向いている。ここで、ファン５２が左右の第一の開口部２１，２１から空気を吸引しているので、前側の旋回流Ｓ３は、左右の前側フィルタ４１，４１を通過し、煙道５１、ファンカバー５３内部、排気筒５４を経て屋外へ排出される。
一方、中間案内部３３ａで後側となった流れＳ４は、第二の案内面３２ａで図６の右回り方向の旋回流Ｓ５となる。この旋回流Ｓ５の回転軸は、左右を向いている。ファン５２が左右の第二の開口部２２，２２から空気を吸引しているので、後側の旋回流Ｓ５は、左右の後側フィルタ４２，４２を通過し、煙道５１、ファンカバー５３内部、排気筒５４を経て屋外へ排出される。
【００２８】
以上より、フード本体の空間ＳＰ１に流入した煙等が前側のみならず後側でも旋回流Ｓ５となって側面部２０，２０の開口部２２，２２を通過して排気手段５０により排出されるので、後方下部から前方に向け傾斜して立ち上がった案内面が不要となる。従って、フード本体を上下に薄くすることができる。
また、案内面３１ａ，３２ａ及び中間案内部３３ａに凹凸が少なく、フード本体１０の下部から案内面３１ａ，３２ａ及び中間案内部３３ａが浅い位置にあるので、油汚れの清掃を容易に行うことができる。
さらに、フード本体の空間ＳＰ１に流入する後側の上昇流が旋回流Ｓ５となって側面部２０，２０から吸引されるので、レンジフードを後側に壁の無い配置とするのに好適である。
【００２９】
（３）変形例：
本発明は、種々の変形例が考えられる。
例えば、レンジフードは、キッチン側を前側として、右側が壁となる右壁取付タイプ、後側が壁となるタイプ、前後左右が壁から離れたタイプ、等とされてもよい。
第一の開口部及び前側フィルタは、左側の側面部にのみ設けられてもよいし、右側の側面部にのみ設けられてもよい。第二の開口部及び後側フィルタも、左側の側面部にのみ設けられてもよいし、右側の側面部にのみ設けられてもよい。また、側面部の開口部にフィルタが設けられなくてもよい。
下側へ湾曲した前側案内板及び後側案内板は、縦断面が円からずれた楕円の円周の一部のような形状等、縦断面円弧状からずれた形状でもよい。前側案内板及び後側案内板は、縦断面略Ｖ字状の溝が設けられなくても、旋回流を発生させることができる。前側案内板の前縁部は、前向きの範囲内で湾曲していてもよい。後側案内板の後縁部は、後向きの範囲内で湾曲していてもよい。
中間案内部と第一の案内面と第二の案内面３２ａは、全部又は一部が一体化された部品で構成されてもよい。
【００３０】
図７（ａ）に示すフード本体１１０のように、中間案内部１３３ａを略平坦面としてもよい。本変形例のガイド部１３０は、中間案内部１３３ａと第一の案内面１３１ａと第二の案内面１３２ａとが一体化された単一の部材とされている。ここで、第一の案内面１３１ａは前方に向かって下側へ湾曲する最も後ろの部位から前側の部分とされ、第二の案内面１３２ａは後方に向かって下側へ湾曲する最も前の部位から後側の部分とされている。中間案内部１３３ａは、略水平面とされている。
フード本体１１０の空間ＳＰ１に流入した上昇流Ｓ１は、中間案内部１３３ａに行く手を阻まれ、該中間案内部１３３ａで前後に分かれる。中間案内部１３３ａで前側となった流れＳ２は、第一の案内面１３１ａで旋回流Ｓ３となり、第一の開口部２１から吸引される。中間案内部１３３ａで後側となった流れＳ４は、第二の案内面１３２ａで旋回流Ｓ５となり、第二の開口部２２から吸引される。
本変形例によると、中間案内部が略平坦であるので、中間案内部の清掃性を向上させることができる。
【００３１】
図７（ｂ）に示すフード本体２１０のように、中間案内部２３３ａを若干後ろ下がりの略平坦面としてもよい。本変形例のガイド部は、中間案内部２３３ａ及び第二の案内面２３２ａが一体化された案内板２３３と、前側案内板３１とから構成されている。ここで、第二の案内面２３２ａは後方に向かって下側へ湾曲する最も前の部位から後側の部分とされている。本変形例でも、上昇流Ｓ１が中間案内部２３３ａで前後に分かれ、前側となった流れＳ２が第一の案内面３１ａで旋回流Ｓ３となって第一の開口部２１から吸引され、後側となった流れＳ４が第二の案内面２３２ａで旋回流Ｓ５となって第二の開口部２２から吸引される。
本変形例によると、中間案内部２３３ａに付着した油が後方へ流れて第二の案内面２３２ａを経た後に縦断面略Ｖ字状の溝２３２ｂへ入る。従って、本変形例は、中間案内部に付着する油の量が多いときに好適である。
【００３２】
図８（ａ）に示すフード本体３１０のように、中間案内部３３３ａを略波形の曲面としてもよい。本変形例のガイド部３３０は、中間案内部３３３ａと第一の案内面３３１ａと第二の案内面３３２ａとが一体化された単一の部材とされている。ここで、中間案内部３３３ａは、フード本体３１０の空間を前側の空間ＳＰ２と後側の空間ＳＰ３とに分けるように下方へ膨出している。中間案内部３３３ａの膨出部分は、左右に繋がっている。すなわち、中間案内部３３３ａは、フード本体３１０の空間ＳＰ１に流入する上昇流Ｓ１を積極的に前後に分ける形状とされている。
【００３３】
本変形例でも、上昇流Ｓ１が中間案内部３３３ａで前後に分かれ、前側となった流れＳ２が第一の案内面３３１ａで旋回流Ｓ３となって第一の開口部２１から吸引され、後側となった流れＳ４が第二の案内面３３２ａで旋回流Ｓ５となって第二の開口部２２から吸引される。
本変形例によると、旋回流Ｓ３，Ｓ５が強くなる。従って、本変形例は、煙や熱気等の捕集効率を向上させたいときに好適である。
【００３４】
図８（ｂ）に示すフード本体４１０のように、第一の開口部４２１と第二の開口部４２２とが前後に繋がった開口部４２０を側面部２０に形成してもよい。また、前側の旋回流Ｓ３を通過させる第一のフィルタ部４４１と後側の旋回流Ｓ５を通過させる第二のフィルタ部４４２とが前後に繋がったフィルタ４４０を側面部２０に設けてもよい。ここで、前後方向における中間案内部３３ａの中間位置から前側にある開口部４２０とフィルタ４４０が第一の開口部４２１と第一のフィルタ部４４１とされ、該中間位置から後側にある開口部４２０とフィルタ４４０が第二の開口部４２２と第二のフィルタ部４４２とされている。
【００３５】
本変形例でも、上昇流Ｓ１が中間案内部３３ａで前後に分かれ、前側となった流れＳ２が第一の案内面３１ａで旋回流Ｓ３となって第一のフィルタ部４４１を通過し第一の開口部４２１から吸引され、後側となった流れＳ４が第二の案内面３２ａで旋回流Ｓ５となって第二のフィルタ部４４２を通過し第二の開口部４２２から吸引される。
本変形例によると、開口部の数を減らすことができ、フィルタの数を減らすことができる。
【００３６】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００３７】
【図１】レンジフードを採用したシステムキッチンの要部を示す斜視図。
【図２】図１のＡ１−Ａ１の位置でレンジフードを断面視して示す垂直断面図。
【図３】図２のＡ２−Ａ２の位置でレンジフードを断面視して示す垂直断面図。
【図４】図３のＡ３−Ａ３の位置でレンジフードを断面視して示す水平断面図。
【図５】図２に示すレンジフードの要部を示す垂直断面図。
【図６】レンジフードに流入した空気の流れを説明するための簡略化した図。
【図７】変形例においてフード本体の垂直断面を示す図。
【図８】変形例においてフード本体の垂直断面を示す図。
【図９】従来例に係るレンジフードを設けたシステムキッチンの要部を示す垂直断面図。
【符号の説明】
【００３８】
１…レンジフード、
１０…フード本体、１２…本体カバー、
２０…側面部、２１，４２１…第一の開口部、２２，４２２…第二の開口部、
３０，１３０…ガイド部、
３１…前側案内板、３１ａ，１３１ａ，３３１ａ…第一の案内面、
３２…後側案内板、３２ａ，１３２ａ，２３２ａ，３３２ａ…第二の案内面、
３３…中間案内板、３３ａ，１３３ａ，２３３ａ，３３３ａ…中間案内部、
４１…前側フィルタ、４２…後側フィルタ、
５０…排気手段、５１…煙道、５２…ファン、５３…ファンカバー、５４…排気筒、
９０…キッチンカウンタ、９１…調理器具、
４２０…開口部、
４４０…フィルタ、４４１…第一のフィルタ部、４４２…第二のフィルタ部、
Ｓ１…上昇流、Ｓ２…前側となった流れ、Ｓ３…前側旋回流、
Ｓ４…後側となった流れ、Ｓ５…後側旋回流、
ＳＰ１，ＳＰ２，ＳＰ３…空間、Ｗ１…壁、
【図１】
2010127549.tif 000003
【図２】
2010127549.tif 000004
【図３】
2010127549.tif 000005
【図４】
2010127549.tif 000006
【図５】
2010127549.tif 000007
【図６】
2010127549.tif 000008
【図７】
2010127549.tif 000009
【図８】
2010127549.tif 000010
【図９】
2010127549.tif 000011